(57)【要約】【課題】使用者を検知する出入口側検知手段１５の検知に基づいて、出入口側検知手段から離れた機器４〜８を立ち上げるシステムにおいて、配線工事を無くして赤外線通信手段を利用して、施工コストの低減を図る。【解決手段】機器４〜８と、これら機器を配置したエリア２に通じる出入口側に配置された出入口側検知手段１５と、出入口側検知手段の検知信号ａを電波で送受信する電波式送受信手段１０と、電波式受信手段１０ｂで受信した検知信号ａに基づいて指令信号を各機器へ送信する指令用通信手段１３とを備え、指令用通信手段は、各機器に配置した赤外線式受信手段１３ｂ及びこれら赤外線式受信手段の全てと赤外線通信できる位置に配置した赤外線式送信手段１３ａを備え、エリア内に複数の機器と離れて配置した離隔指令部１１に、電波式受信手段１０ｂ及び赤外線式送信手段１３ａを備えた。【選択図】図２
2006333344.tif 000002
【特許請求の範囲】
【請求項１】
指令対象となる機器と、該機器を配置したエリアに通じる出入口側に配置されて使用者を検知する出入口側検知手段と、該出入口側検知手段の検知信号を電波で送受信する電波式送信手段及び電波式受信手段と、該電波式受信手段で受信した検知信号に基づいて指令信号を上記機器へ送信する指令用通信手段とを備えた機器指令システムにおいて、前記エリア内に前記機器と離れて配置した離隔指令部を備え、前記指令用通信手段は、前記機器に配置した赤外線式受信手段と、該赤外線式受信手段と赤外線通信できる位置に配置した赤外線式送信手段とを備え、該離隔指令部は、前記電波式受信手段と前記赤外線式送信手段とを備えたことを特徴とする機器指令システム。
【請求項２】
前記離隔指令部は、前記エリアに居る使用者を検知するためのエリア側検知手段と、入退出判定部とを備え、該入退出判定部は、前記出入口側検知手段が使用者を検知してから設定時間後に、該エリア側検知手段の検知信号に基づいて使用者が居るか居ないかを判別して、前記機器の立上げ又は待機を判定し、前記赤外線式送信手段は、該判定に基づいて指令信号を前記赤外線式受信手段へ送信するようにした請求項１記載の機器指令システム。
【発明の詳細な説明】
【技術分野】
【０００１】
本発明は、指令対象となる一つ又は複数の機器を配置したエリアに通じる出入口で使用者を検知して、該機器に指令を発する機器指令システムに関するものである。
【背景技術】
【０００２】
従来、機器指令システムとしては、特許文献１に記載のトイレ室用のものがある。このシステムは、便器とその上の温水洗浄便座を設置したトイレ室の出入口に開閉可能なドアを配設し、ドアまたはその周囲に、振動検知手段及びその検知信号を無線送信する送信手段を有するドア開閉検知装置を配設し、温水洗浄便座の本体部に、ドア開閉検知装置からの検知信号の受信手段と受信した検知信号に基づいてトイレ室に対する入室と退室を判定する入退室判定部を有する制御部を設け、制御部から離れて配設した空調装置等の機器に対して、制御部からの指令で立上げ状態又は待機状態に制御するものである。
【特許文献１】特開２００４−２６３４２０公報
【発明の開示】
【発明が解決しようとする課題】
【０００３】
ところで、前記特許文献１に記載されている機器指令システムは、特定の機器である温水洗浄便座に受信手段を有する制御部を備えているため、制御部から離れた他の機器へ制御信号を送信するための有線通信手段又は赤外線通信手段を設ける必要がある。しかし、有線通信手段の場合には、配線工事等により施工コストを増大させ、また、赤外線通信手段の場合には、特定の機器の制御部と他の機器との配置関係により赤外線通信が不能となったり、不安定となることがある。そこで、本発明は、従来システムの上記問題に鑑み創案したものであって、上記配線工事を無くして赤外線通信手段を利用した機器指令システムを提供することを目的とする。
【課題を解決するための手段】
【０００４】
配線工事を無くして赤外線通信手段を利用できるようにするために請求項１記載の本発明が採用した手段は、指令対象となる機器と、該機器を配置したエリアに通じる出入口側に配置されて使用者を検知する出入口側検知手段と、該出入口側検知手段の検知信号を電波で送受信する電波式送信手段及び電波式受信手段と、該電波式受信手段で受信した検知信号に基づいて指令信号を上記機器へ送信する指令用通信手段とを備えた機器指令システムにおいて、前記エリア内に前記機器と離れて配置した離隔指令部を備え、前記指令用通信手段は、前記機器に配置した赤外線式受信手段と、該赤外線式受信手段と赤外線通信できる位置に配置した赤外線式送信手段とを備え、該離隔指令部は、前記電波式受信手段と前記赤外線式送信手段とを備えたことを特徴とする機器指令システムである。なお、指令対象となる機器が複数の場合の手段は、指令対象となる複数の機器と、これら機器を配置したエリアに通じる出入口側に配置されて使用者を検知する出入口側検知手段と、該出入口側検知手段の検知信号を電波で送受信する電波式送信手段及び電波式受信手段と、該電波式受信手段で受信した検知信号に基づいて指令信号を上記複数の機器へ送信する指令用通信手段とを備えた機器指令システムにおいて、前記エリア内に複数の機器と離れて配置した離隔指令部を備え、前記指令用通信手段は、前記機器の各々に配置した赤外線式受信手段と、これら赤外線式受信手段の全てと赤外線通信できる位置に配置した赤外線式送信手段とを備え、該離隔指令部は、前記電波式受信手段と前記赤外線式送信手段とを備えた機器指令システムとなる。
【０００５】
的確な入退出を判定するために請求項２記載の本発明が採用した手段は、前記離隔指令部は、前記エリアに居る使用者を検知するためのエリア側検知手段と、入退出判定部とを備え、該入退出判定部は、前記出入口側検知手段が使用者を検知してから設定時間後に、該エリア側検知手段の検知信号に基づいて使用者が居るか居ないかを判別して、前記機器の立上げ又は待機を判定し、前記赤外線式送信手段は、該判定に基づいて指令信号を前記赤外線式受信手段へ送信するようにした請求項１記載の機器指令システムである。上記設定時間とは、使用者が出入口からエリア側検知手段で検知されるエリア内検知位置まで移動するに必要な時間であり、出入口からエリア内検知位置までの距離に応じて設定可能とした。
【発明の効果】
【０００６】
請求項１記載の本発明に係る機器指令システムは、エリアに通じる出入口側と指令対象となる一つ又は複数の機器との間に、ドアや間仕切り等の遮蔽物があっても、先ず出口側検知手段と離隔指令部との間で、電波で検知信号の送受信を行うので確実に通信ができ、次に離隔指令部と機器との間で、赤外線無線通信で指令信号を確実に送受信できる。また、離隔指令部と機器との間では、電波通信に比べて安価な赤外線無線通信手段で通信を行うため、配線工事を必要とする有線通信手段を用いる必要がなくなり、施工コストを低減できる。
【０００７】
請求項２記載の本発明に係る機器指令システムは、指令対象となる一つ又は複数の機器を配置したエリアに使用者が居るか居ないかを検知することで、エリアに対する入退出を的確に判定して、各機器を立上げ又は待機とすることができる。
【発明を実施するための最良の形態】
【０００８】
本発明に係る機器指令システム（以下、「本発明システム」と言う。）を図面に示す実施形態に基づいて説明する。
【０００９】
図１及び図２は本発明システムの実施の形態を示すものであり、図１は全体の配置状態を示す平面図、図２はシステムのブロック図である。
【００１０】
本発明システム１は、エリア２に配置された指令対象となる複数の機器４〜８と、エリア２に通じる出入口２ａ側に配置されて使用者（図示略）を検知する人体検知装置１５と、エリア２内に複数の機器と離れて配置された離隔指令部１１と、人体検知装置１５の検知信号ａを離隔指令部１１へ送信する電波式通信手段１０と、エリア２側に配置されて使用者を検知するエリア側検知手段１４と、送信された検知信号ａ及びエリア側検知手段１４の検知信号ｂに基づいてエリア２に対する入退出を判定する入退出判定部１２と、判定に基づいて指令信号ｃを複数の機器４〜８へ送信する指令用通信手段１３とを備えている。なお、本発明システム１は、エリア側検知手段１４及び入退出判定部１２を省略して、送信された検知信号ａを指令用通信手段１３で複数の機器４〜８へ送信するように構成する別態様も有り得る。
【００１１】
前記人体検知装置１５は、出入口２ａを通過する使用者を検知する出入口側検知手段９と、前記電波式通信手段１０の送信手段１０ａとを備えている。出入口側検知手段９は、ドア３の開閉を検出して通過しようとする使用者を検知するタイプ、赤外線検知センサ，超音波検知センサ又は光電式検知センサなどで通過する使用者を非接触で検知するタイプ、入口マツトに配置した足踏みセンサで通過する使用者を検知するタイプ、ドアのノブに対する手の接触を検出すること通過しようとする使用者を検知するタイプ等、公知の検知タイプが現場の状況に応じて適宜選択される。なお、ドア３の開閉を検出するタイプの出入口側検知手段９の場合には、ドア３の開閉力で発電する発電装置を備え、発電した電気を送信手段１０ａの電源に用いるようにすることもある。電波式通信は、赤外線式通信とは異なり、遮蔽物があっても通信可能であるので、電波式通信手段１０の送信手段１０ａは、ドア３やエリア２の外側に配置することも可能である。
【００１２】
前記エリア側検知手段１４は、エリア２に使用者（図示略）が居るか居ないかを検知するものであり、赤外線検知センサ，超音波検知センサ若しくは光電式検知センサなどでエリア２内に居る使用者を非接触で検知するタイプ、機器の電力使用状態をモニターするタイプ、または、機器リモコンから機器へ送られる動作信号を検知するタイプ等が選択される。エリア側検知手段１４を備える場合には、入退出判定部１２は、出入口２ａを通過する使用者を検知した検知信号ａを受信してから設定時間を経過した後に、エリア側検知手段１４の検知信号ｂに基づいてエリア２に使用者が居るか居ないかを判別して、各機器の立上げ又は待機を判定し、判定信号ｃを後述する赤外線式送信手段１３ａへ出力するように回路構成してある。上記設定時間とは、使用者が出入口２ａからエリア側検知手段１４で検知されるエリア内検知位置までの間を移動するに必要な時間であり、出入口２ａからエリア内検知位置までの距離に応じて設定される。本発明システム１は、エリア側検知手段１４を備えて入退出判定部１２で判定することにより、エリア２内に対する使用者の入退出を的確に把握して、各機器４〜８を確実に立上げ又は待機状態とすることができるようになる。
【００１３】
前記指令用通信手段１３は、機器４〜８の各々に備えた赤外線式受信手段１３ｂ，１３ｂ…、および、これら赤外線式受信手段１３ｂの全てと赤外線通信できる位置（例えば、天井，壁面等）に配置した赤外線式送信手段１３ａを備えている。なお、赤外線式リモコン（図示略）を備える機器の場合には、各赤外線式受信手段１３ｂは、赤外線式リモコンの受信用基板に一体に組み込むことで、基板製造コストを低減し且つ小型化が可能となる。前記エリア側検知手段１４が備えられている場合には、赤外線式送信手段１３ａは、入退出判定部１２の判定信号ｃに基づいて指令信号を各赤外線式受信手段１３ｂへ送信する。
【００１４】
前記離隔指令部１１は、機器４〜８とは独立して天井や壁面等に配設され、前記電波式通信手段１０の受信手段１０ｂ、入退出判定部１２、エリア側検知手段１４および赤外線式送信手段１３ａを備えている。離隔指令部１１の電源は、乾電池またはエリア２に引き込まれている交流電源等が用いられる。
【００１５】
本例の本発明システム１は、トイレ室となるエリア２に配置する機器として、開閉する便蓋、暖房便座、除菌イオン放出装置及び／又は温水局部洗浄装置を併設した便器４、検尿装置を併設した小便器５、温水吐水式及び／又は手元照明付き手洗器６、室内照明具７並びに換気機能付きエアコン８等を備えている。各機器４〜８の立上げの状態（エリア２に使用者が居る状態）又は待機の状態（エリア２に使用者が居ない状態）は、次のようになる。便器４に併設した開閉する便蓋は、待機では閉状態であり、立上げでは開状態となる。便器４に併設した暖房便座は、待機では低温状態であり、立上げでは設定温度まで急速昇温させる状態となる。便器４に併設した除菌イオン放出装置は、待機では除菌イオンを放出する状態であり、立上げでは除菌イオンの放出を停止する状態となる。便器４に併設した温水局部洗浄装置及び温水吐水式の手洗器６は、待機では温水が低温状態であり、立上げでは温水を設定温度まで急速昇温させる状態となる。検尿装置を併設した小便器５は、待機では非検出状態であり、立上げでは検尿装置を検出可能な状態へ起動させる。手元照明付き手洗器６及び室内照明具７は、待機では消灯状態であり、立上げでは点灯状態となる。換気機能付きエアコン８は、待機では停止状態であり、立上げでは起動状態となる。
【００１６】
本発明システム１は、前記指令用通信手段１３の送信する指令信号ｃ又は検知信号ａを受信する指令対象の機器として、複数の機器４〜８を備えた場合に限定するものではなく、一つの機器の場合も有り得る。
【００１７】
次に、本発明システム１の動作を説明する。出入口２ａを通過する使用者（図示略）を出入口側検知手段９が検知すると、検知信号ａが電波式送信手段１０ａから離隔指令部１１へ送信され、電波式受信手段１０ｂで受信した検知信号ａ及びエリア側検知手段１４の検知信号ｂに基づいてエリア２に対する入退出を入退出判定部１２で判定し、出入口２ａを通過する使用者を検知した検知信号ａを受信したときには機器立上げと判定し、続けて設定時間を経過した後にエリア側検知手段１４の検知信号ｂを受信しているとき（すなわち、エリア２に使用者が居るとき）には機器立上げの判定を維持し、検知信号ｂの受信停止（すなわち、エリア２に使用者が居ないとき）から設定時間を経過した後には機器待機と判定する。入退出判定部１２の判定信号ｃが赤外線式送信手段１３ａから各機器４〜８に備えられている各赤外線受信手段１３ｂへ送信される。判定信号ｃを受けた各機器４〜８は、各機器４〜８に設けた制御回路を介して立上げ又は待機状態となる。
【００１８】
なお、各機器４〜８が個別に使用者の有無を検知する機器側検知手段（図示略）を備え、使用者が居ることを検知しているときには立上げ状態を維持し、逆に使用者が居ないことを検知して設定時間が経過した後に待機状態とする場合にあっては、本発明システム１は、エリア側検知手段１４及び入退出判定部１２を省略して、送信された検知信号ａを指令用通信手段１３で複数の機器４〜８へ送信して、使用者が各機器４〜８に到達する前に、各機器４〜８を立上げ状態とすることができる。
【産業上の利用可能性】
【００１９】
本発明システム１は、トイレ室となるエリア２に配置した便器等の機器を対象とする以外に、門扉から玄関を介して居間までのエリアに適用して、出入口である門扉側に出入口側検知手段を配置し、指令対象となる機器として玄関ドア鍵穴用照明具、玄関外側用照明具、玄関内側用照明具、居間用照明具及び居間用エアコン等の一つ又は複数を対象とすることも可能である。
【図面の簡単な説明】
【００２０】
【図１】本発明システムの実施の形態を示すものであり、全体の配置状態を示す平面図である。
【図２】同実施の形態のシステムの全体を示すブロック図である。
【符号の説明】
【００２１】
２…エリア、４〜８…機器、１５…出入口側検知手段、１０…電波式送受信手段、１０ｂ…電波式受信手段、１１…離隔指令部、１３ａ…赤外線式送信手段、１３ｂ…赤外線式受信手段
【図１】
2006333344.tif 000003
【図２】
2006333344.tif 000004